(57)【要約】【課題】  本発明はハードディスク（ＨＤ）等の磁気記録媒体に記録されたデータを消去する磁気記録媒体の着磁装置に関し、特にハードディスク（ＨＤ）等の磁気記録媒体の着磁処理を容易に行うことができ、また少ない電力で着磁が可能な磁気データ消去装置を提供するものである。【解決手段】  磁気記録媒体の着磁装置であって、所定の角度を有する磁気記録媒体の載置台を備えた記録媒体の収納引出手段と、着磁コイルによって覆われ、中空部に前記載置台に前記磁気記録媒体が載置された前記磁気記録媒体の収納引出手段を収納する着磁手段とを有することを特徴とする。【選択図】  図１
2010287302.tif 000002
【特許請求の範囲】
【請求項１】
所定の角度を有する磁気記録媒体の載置台を備えた記録媒体の収納引出手段と、
着磁コイルによって覆われ、中空部に前記載置台に前記磁気記録媒体が載置された前記磁気記録媒体の収納引出手段を収納する着磁手段と、
を有することを特徴とする磁気データ消去装置。
【請求項２】
前記磁気記録媒体はハードディスクであることを特徴とする請求項１に記載の磁気データ消去装置。
【請求項３】
前記載置台の所定角度は、１０度〜７０度であることを特徴とする請求項１、又は２に記載の磁気データ消去装置。
【請求項４】
前記着磁コイルを覆って、該着磁コイルによって励磁される磁束密度を計測する計測コイルが配設されていることを特徴とする請求項１、２、又は３に記載の磁気データ消去装置。
【請求項５】
前記計測コイルによって計測される情報は、外部のコンピュータに供給されることを特徴とする請求項１、２、３、又は４に記載の磁気データ消去装置。
【請求項６】
前記計測コイルに流れる電流によって発光手段を発光させることを特徴とする請求項１、２、３、４、又は５に記載の磁気データ消去装置。
【請求項７】
前記発光手段は、ＬＥＤであることを特徴とする請求項６に記載の磁気データ消去装置。
【請求項８】
所定の角度を有する磁気記録媒体の載置台を備えた記録媒体のＨＤ固定トレイと、
着磁コイルによって覆われ、中空部に前記載置台に前記磁気記録媒体が載置された前記磁気記録媒体の収納引出手段を収納する着磁手段と、
を有することを特徴とする磁気データ消去装置。
【請求項９】
前記載置台には、前記磁気記録媒体の先端を所定長保持する保持手段が設けられている特徴とする請求項８に記載の磁気データ消去装置。
【発明の詳細な説明】
【技術分野】
【０００１】
本発明は、ハードディスク（ＨＤ）等の磁気記録媒体に記録された磁気データを消去する磁気データ消去装置に関する。
【背景技術】
【０００２】
今日、企業や個人で使用した磁気ディスク装置（以下、ハードディスクで示す）を廃棄する場合、ハードディスクに記録された情報を第三者に知られないため、例えばコンピュータに接続した状態でオペレーティングシステムからフォーマット処理を行い、磁気情報を消去している。
【０００３】
しかし、上記消去方法では、ハードディスク内の磁気情報の配置等を管理する管理領域のみを消去し、実際の磁気情報はディスク上に残る。そこで、例えば磁気記録媒体に電磁石により生成された磁力を与え、磁気記録媒体に記録されている情報を消去する方法が行われている。
【０００４】
特許文献１は、廃棄する磁気ディスク装置に記録されたデータの漏洩防止のため、データ消去を簡単な操作で行うデータ消去装置の発明であり、磁気ディスク装置に対して磁石による水平方向の磁界を付与し、データ消去を行うデータ消去装置の発明である。
【先行技術文献】
【特許文献】
【０００５】
【特許文献１】特開２００７−６６４３９号公報
【発明の概要】
【発明が解決しようとする課題】
【０００６】
しかしなから、最近磁気ディスク装置に対して垂直方向の磁界をかけ、データを記憶する垂直磁気記録方式が採用されている。この方式は、従来の記録方式（特許文献１の記録方式）である面内記録方式に比べてデータの記録密度を高めることができ、有効である。
このため、磁気ディスク装置に記録されたデータを消去する場合、データ消去装置を操作し、水平方向の磁界を磁気ディスク装置に付与し、その後更に垂直方向の磁界を磁気ディスク装置に付与する操作を行う必要があった。
【０００７】
したがって、従来のデータ消去装置では、磁気記録媒体のデータ消去に時間を要し、煩雑な作業が必要であった。また、電磁石に供給する電力も大きな容量を必要とした。
【０００８】
そこで、本発明は上記課題に鑑み、ハードディスク（ＨＤ）等の磁気記録媒体のデータ消去を容易に行うことができ、また少ない電力で磁気データの消去を行うことができる磁気データ消去装置を提供するものである。
【課題を解決するための手段】
【０００９】
上記課題は第１の発明によれば、所定の角度を有する磁気記録媒体の載置台を備えた記録媒体の収納引出手段と、着磁コイルによって覆われ、中空部に前記載置台に前記磁気記録媒体が載置された前記磁気記録媒体の収納引出手段を収納する着磁手段とを有する磁気データ消去装置を提供することによって達成できる。
【００１０】
また、上記課題は第２の発明によれば、前記磁気記録媒体はハードディスクである磁気データ消去装置を提供することによって達成できる。
また、上記課題は第３の発明によれば、前記載置台の所定角度は、１０度〜７０度である磁気データ消去装置を提供することによって達成できる。
【００１１】
また、上記課題は第４の発明によれば、前記着磁コイルを覆って、該着磁コイルによって励磁される磁束密度を計測する計測コイルが配設されている磁気データ消去装置を提供することによって達成できる。
【００１２】
また、上記課題は第５の発明によれば、前記計測コイルによって計測される情報は、外部のコンピュータに供給される磁気データ消去装置を提供することによって達成できる。
また、上記課題は第６の発明によれば、前記計測コイルに流れる電流によって発光手段を発光させる磁気データ消去装置を提供することによって達成できる。
【００１３】
また、上記課題は第７の発明によれば、前記発光手段は、ＬＥＤである磁気データ消去装置を提供することによって達成できる。
【００１４】
また、上記課題は第８の発明によれば、所定の角度を有する磁気記録媒体の載置台を備えた記録媒体のＨＤ固定トレイと、  着磁コイルによって覆われ、中空部に前記載置台に前記磁気記録媒体が載置された前記磁気記録媒体の収納引出手段を収納する着磁手段とを有する磁気データ消去装置を提供することによって達成できる。
【００１５】
また、上記課題は第９の発明によれば、前記載置台には、前記磁気記録媒体の先端を所定長保持する保持手段が設けられている磁気データ消去装置を提供することによって達成できる。
【発明の効果】
【００１６】
本発明によれば、ハードディスク（ＨＤ）等の磁気記録媒体を所定角度を有する載置台に載せて着磁装置に入れることによって、磁気記録媒体に記憶されたデータ着磁を容易に行うことができ、少ない電力で磁気記録媒体の磁気データの消去を行うことができる磁気データ消去装置を提供するものである。
【図面の簡単な説明】
【００１７】
【図１】本実施形態の磁気記録媒体の着磁装置の構成図であり、（ａ）は着磁装置の正面図であり、（ｂ）は着磁装置の側面図であり、（ｃ）は着磁装置の裏面図であり、（ｄ）は着磁装置の上面図である
【図２】本実施形態の磁気記録媒体の着磁装置に収納される収納引出の構成図であり、（ａ）は収納引出の正面図であり、（ｂ）は収納引出の側面であり、（ｃ）は収納引出の裏面図であり、（ｄ）は収納引出の上面図であり、（ｅ）は収納引出にハードディスク（ＨＤ）を載置した状態を示す図である。
【図３】本発明の実施形態２の正面側から視た斜視図である。
【図４】本発明の実施形態２の左側面から視た斜視図である。
【発明を実施するための形態】
【００１８】
以下、図面を参照しながら本発明の実施の形態について説明する。
（実施形態１）
図１は本実施形態の磁気記録媒体の着磁装置の構成を説明する図であり、同図（ａ）は着磁装置の正面図であり、同図（ｂ）は着磁装置の側面図であり、同図（ｃ）は着磁装置の裏面図であり、同図（ｄ）は着磁装置の上面図である。
【００１９】
図１（ａ）〜（ｄ）において、磁気記録媒体の磁気データ消去装置である着磁装置１は、着磁コイル（形成部）２、及び後述する磁気記録媒体を収納した収納引出が装着される中空部３で構成されている。着磁コイル形成部２には巻線が施され、巻線の両端にはリード線４、５を介して不図示の電流供給回路が接続されている。また、巻線としては、例えば平角線や角線を使用するが、通常の銅線を巻回した構成であってもよい。
【００２０】
中空部３は後述する収納引出を収納する大きさで構成され、例えば幅１１０ｍｍ、高さ１３３ｍｍ、奥行き１５７ｍｍで構成されている。この中空部３には着磁コイルによって磁界が発生し、例えば図１（ａ）の紙面の手前から奥、又は奥から手前に磁束が形成される。また、その磁束密度は着磁コイルに供給される電流によって決定される。
【００２１】
また、図１（ａ）に示す着磁装置１の正面には、ストッパ６が螺子７によって取り付けられ、磁束によって後述する収納引出が手前に飛び出すことを防止している。
【００２２】
また、上記着磁コイル形成部２を覆って、例えば２〜３Ｔの計測用巻線８が施されている。この計測用巻線８は着磁コイル形成部２によって形成された磁束密度を測定するコイルであり、検出データはリード線１０、１１を介して不図示のパーソナルコンピュータ（ＰＣ）に供給される。
【００２３】
計測用巻線８に流れる電流は発光手段であるＬＥＤ１２を点灯させる。このＬＥＤ１２は、例えば図１（ａ）に示すように、着磁装置１の正面上部に設けられ、着磁処理が行われていることをユーザに報知する。
【００２４】
また、着磁装置１の上面及び下面には、一定の厚さを有する鉄板９ａ、９ｂが使用され、中空部３に形成された磁束は、この鉄板９ａ、９ｂを介してループを形成する。尚、上記鉄板９ａ、９ｂは、それぞれ螺子１６で着磁装置１の筐体に取り付けられている。
【００２５】
一方、図２は上記着磁装置１に収納される収納引出１３の構成を示す図である。同図（ａ）は収納引出１３の正面図であり、同図（ｂ）は収納引出１３の側面であり、同図（ｃ）は収納引出１３の裏面図であり、同図（ｄ）は収納引出１３の上面図である。さらに、同図（ｅ）は収納引出１３にハードディスク（ＨＤ）を載置した状態を示す図である。
【００２６】
同図に示すように、収納引出１３には載置台１４が取り付けられており、この載置台１４にハードディスク（ＨＤ）が載置される。この載置台１４は収納引出１３の底面に対して、例えば３５度の角度に取り付けられており、載置台１４に置かれたハードディスク（ＨＤ）は前述の中空部３に発生する磁束に対して３５度の角度を有する構成となる。
【００２７】
また、収納引出１３の正面には開口１５が形成され、収納引出１３を着磁装置１に収納する際の取手として機能する。尚、上記収納引出１３本体、及び載置台１４は、例えばプラスチックで構成されている。
【００２８】
以上のように構成された着磁装置１において、ハードディスク（ＨＤ）のデータを消去する際には、先ず収納引出１３を着磁装置１から引き出し、図２に示す載置台１４上にハードディスク（ＨＤ）を置く。前述のように、図２（ｅ）はこの状態を示す図であり、予め着磁するハードディスク（ＨＤ）に対応して大きさが設定された載置台１４上にハードディスク（ＨＤ）が載置される。
【００２９】
次に、開口１５を取手として、ハードディスク（ＨＤ）が収納された収納引出１３を着磁装置１の所定位置に装着する。この装着は、前述の収納引出１３の正面下部が前述のストッパ６を乗り越え、着磁装置１の内部に落ち込んだ状態である。
【００３０】
次に、この状態で不図示の電流供給回路から着磁コイル２に電流を供給し、着磁コイル２を励磁し、着磁装置１の中空部３に磁束を形成する。この磁束は、例えば着磁装置１の裏面側から正面側に向けて形成され、更に前述の上下の鉄板９ａ、９ｂを介して戻る。したがって、この時中空部３に収納された収納引出１３内のハードディスク（ＨＤ）には３５度の角度で磁束が通過することになる。
【００３１】
このため、ハードディスク（ＨＤ）は着磁され、ハードディスク（ＨＤ）に記録されたデータは消去される。このとき、３５度の角度で磁束が通過するため、垂直磁気記録方式のハードディスク（ＨＤ）であっても、面内記録方式のハードディスク（ＨＤ）であってもデータを消去することができる。
【００３２】
したがって、ハードディスク（ＨＤ）のデータ消去を効率よく行うことができ、使用する電力も削減することができる。例えば、従来１００００ガウス必要であった磁束密度を７０００ガウスまで削減することができる。
【００３３】
また、上記ハードディスク（ＨＤ）の着磁処理の間、前述のＬＥＤ１２は、計測用巻線８に流れる電流によって発光し、ユーザはハードディスク（ＨＤ）の着磁処理を視覚的に知ることができる。
【００３４】
また、上記計測用巻線８によって着磁コイル２による磁束密度が測定され、この情報は不図示のパーソナルコンピュータ（ＰＣ）に送られ、着磁コイル２への駆動電流の制御に使用される。
【００３５】
尚、上記実施形態の説明において、磁気記録媒体としてハードディスク（ＨＤ）の例で説明したが、ハードディスク（ＨＤ）に限るものではない。また、載置台１４の配設角度も３５度に設定したが、例えば１０度〜７０度に設定するようにしてもよく、更に異なる角度に設定する構成としてもよい。
【００３６】
また、中空部３の大きさも前述の幅１１０ｍｍ、高さ１３３ｍｍ、奥行き１５７ｍｍに限定されるわけではなく、更に載置台１４のサイズも載置する磁気記録媒体のサイズ、及び形状によって適宜変更可能である。
さらに、上記実施形態の説明では、着磁コイル２を備えた着磁装置１によってハードディスク（ＨＤ）を着磁しデータの消去を行ったが、消磁コイルを備えた消磁装置によってハードディスク（ＨＤ）を消磁し、データの消去を行う構成としてもよい。
【００３７】
（実施形態２）
次に、本発明の実施形態２について説明する。
本実施形態２は、上記着磁装置１に装着される収納引出の他の構成例を示す発明であり、本実施形態では上記収納引出に代えて、ハードディスク（ＨＤ）固定トレイ（以下、ＨＤ固定トレイ）で示す。
図３は本実施形態のＨＤ固定トレイを正面側から視た斜視図である。また、図４はＨＤ固定トレイの左側面から視た斜視図である。両図において、ＨＤ固定トレイ２０には載置台２１が固定されており、この載置台２１にハードディスク（ＨＤ）が載置される。この載置台２１はＨＤ固定トレイ２０の底面に対して、例えば１０度〜７０度の角度に取り付けられており、載置台２１に置かれたハードディスク（ＨＤ）は前述の中空部３に発生する磁束に対して１０度〜７０度の角度を有する構成となる。
【００３８】
また、載置台２１は、夫々４個の螺子２２、２３（尚、図４では２個のみを示す）でＨＤ固定トレイ２０の正面又は裏面に締着され、載置台２１はＨＤ固定トレイ２０に固定されている。また、載置台２１の側面はガイド板２５ａ、２５ｂが立設され、ハードディスク（ＨＤ）の横ずれを防止する構成である。
【００３９】
さらに、本実施形態のＨＤ固定トレイ２０には、ハードディスク（ＨＤ）が磁力によって上方に力を受け、載置台２１から外れることを防止するため、押さえ板２６が設けられている。この押さえ板２６は、載置台２１のハードディスク（ＨＤ）を装着した際、ハードディスク（ＨＤ）も先端が、例えば１０ｍｍ程度押さえ板２６の下に収納される長さに設定されている。また、押さえ板２６の厚さも、例えば２ｍｍ程度のステンレス板で構成され、ハードディスク（ＨＤ）に加わる上方への磁力に耐える構造である。
尚、押さえ板２６の長さは上記１０ｍｍに限定されるものではなく、また押さえ板２６の厚さも上記２ｍｍに限定されるものではなく、板材との関係で適切な厚さに形成することができる。
【００４０】
一方、着磁装置１の正面には取手２７が形成され、ＨＤ固定トレイ２０を着磁装置１に収納する際に使用する。また、ＨＤ固定トレイ２０の正面の２個の弾性部材２８は、磁力によってＨＤ固定トレイ２０が力を受けた際、着磁装置１に設けられた不図示の前板に当接し、クッションの役割をもつ部材である。
【００４１】
以上のように構成された着磁装置１が装着される磁気データ消去装置において、ハードディスク（ＨＤ）のデータを消去する際には、先ずＨＤ固定トレイ２０を着磁装置１から引き出し、図３、及び図４に示す載置台２１上にハードディスク（ＨＤ）を置く。
次に、取手２７を持ち、ハードディスク（ＨＤ）が収納されたＨＤ固定トレイ２０を着磁装置１の所定位置に装着する。
【００４２】
次に、この状態で不図示の電流供給回路から着磁コイル２に電流を供給し、着磁コイル２を励磁し、着磁装置１の中空部３に磁束を形成する。この磁束は、例えば着磁装置１の裏面側から正面側に向けて形成され、更に前述の上下の鉄板９ａ、９ｂを介して戻る。したがって、この時中空部３に収納されたＨＤ固定トレイ２０内のハードディスク（ＨＤ）を磁束が通過することになる。
【００４３】
このため、ハードディスク（ＨＤ）は着磁され、ハードディスク（ＨＤ）に記録されたデータは消去される。また、このときハードディスク（ＨＤ）に加わる磁界によって、ハードディスク（ＨＤ）に磁力が働き、ハードディスク（ＨＤ）に各方向への力が働く。下方及び側方への力は、載置台２１の底板及び側面のガイド板２５ａ、２５ｂによって抑えられるが、上方への力に対しては、従来抑える部材が存在せず、ハードディスク（ＨＤ）の浮き上がりが問題であった。
【００４４】
しかし、本実施形態の着磁装置１によれば、前述のようにハードディスク（ＨＤ）上にまた、押さえ板２６が設けられており、ハードディスク（ＨＤ）の上方への浮き上がりを抑えることができる。また、押さえ板２６は所定の長さと厚さで構成され、ハードディスク（ＨＤ）の上方への浮き上がりを確実に防止することができる。
【００４５】
さらに、上記実施形態１及び２においては、所定の角度を有する磁気記録媒体の載置台を備えた収納引出１３、又はＨＤ固定トレイ２０を着磁装置１に装着して磁気データの消去を行い、垂直磁気記録方式にも対応できる磁気データ消去装置としたが、逆に着磁装置１を所定角度傾ける方式であってもよい。
【００４６】
すなわち、所定の角度を有する着磁装置１に収納引出１３又はＨＤ固定トレイ２０を水平に装着し、磁気データの消去を行う構成としてもよい。この場合、着磁装置１の中空部３に収納引出１３又はＨＤ固定トレイ２０を水平に装着できる装着ガイドを設け、このガイドに沿って収納引出１３、又はＨＤ固定トレイ２０を着磁装置１に装着することによって、実施することが可能である。
尚、この場合も、着磁装置１ではなく、消磁コイルを備えた消磁装置に装着ガイドを設けることによって、消磁装置によっても同様に実現することができる。
【００４７】
また、本実施形態の磁気データ消去装置は垂直磁気記録方式の装置に対してデータ消去が可能であると共に、載置台の角度を１０度〜７０度に設定することが可能であり、水平磁気記録方式（面内記録方式）の装置に対してもデータ消去が可能であることは勿論である。
【符号の説明】
【００４８】
１・・・着磁装置
２・・・着磁コイル
３・・・中空部
４、５・・リード線
６・・・ストッパ
７・・・螺子
８・・・計測用巻線
９ａ、９ｂ・・・鉄板
１０、１１・・リード線
１２・・・ＬＥＤ
１３・・収納引出
１４・・載置台
１５・・開口
１６・・螺子
２０・・ＨＤ固定トレイ
２１・・載置台
２２、２３・・螺子
２５ａ、２５ｂ・・ガイド板
２６・・押さえ板
２７・・取手
２８・・弾性部材
【図１】
2010287302.tif 000003
【図２】
2010287302.tif 000004
【図３】
2010287302.tif 000005
【図４】
2010287302.tif 000006